(57)【要約】【課題】効率よくオプションボートの装着チェックができるオプションボード検出回路を提供する。【解決手段】オプションボード２のプリント基板への装着、未装着を検出するオプションボード検出回路において、システム供給電源と検出回路電源を切り換える切り換えスイッチ１と、切り換えスイッチ１が検出回路電源側に切り換わったとき点灯するようにオプションボード２に１対１で対応したＬＥＤ３とを備えた。【選択図】        図１
2004164247.tif 000002
【特許請求の範囲】
【請求項１】
オプションボードのプリント基板への装着、未装着を検出するオプションボード検出回路において、システム供給電源と検出回路電源を切り換える切り換えスイッチと、切り換えスイッチが検出回路電源側に切り換わったとき点灯するようにオプションボードに１対１で対応したＬＥＤとを備えたことを特徴とするオプションボード検出回路。
【請求項２】
請求項１記載のオプションボード検出回路において、オプションボードとＬＥＤの間にロジック回路を設けたことを特徴とするオプションボード検出回路。
【請求項３】
請求項２記載のオプションボード検出回路において、ロジック回路を複数設け、かつ、ロジック回路を切り換えるロジック回路切り換えスイッチを設けたことを特徴とするオプションボード検出回路。
【発明の詳細な説明】
【０００１】
【発明の属する技術分野】
本発明は、オプションボードのプリント基板への装着、未装着を検出する画像形成装置におけるオプションボード検出回路に関する。
【０００２】
【従来の技術】
プリンタやコピーマシンなどの画像形成装置においては、システムを制御するＣＰＵやＡＳＩＣが存在し、プリント基板（ＰＣＢ）上にはんだで実装（固定）されている。プリント基板には他にＲＡＭやＲＯＭ−ＤＩＭＭ、及びオプションボードなどが存在し、機能拡張などの役割を果たしているが、直接プリント基板にはんだで実装されているものだけでなく、取り外し可能なものが多い。
【０００３】
プリンタやコピーマシンなどの画像形成装置においては、一般的にシステムを動作させるために電源が投入されると、プリント基板のＣＰＵやＡＳＩＣが動作し、レジデントＲＯＭのコンフィギュレーションレジスタなどを読み初期設定をし、問題がなければシステムが起動する。その際、前述の機能拡張のためのＲＯＭ−ＤＩＭＭやオプションボードの存在をチェックし、認識（検知）できれば、ＲＯＭの中のプログラムなどを起動可能にする。
【０００４】
一般的なＲＯＭ−ＤＩＭＭやオプションボードのハード的な検知方法としては、ある信号線を検知用の信号線として用い（ディテクト信号線）、例えばその信号線をオプションボードなどの方でＧＮＤに落しておき、オプションボードがプリント基板に実装されるとＧＮＤに信号線が落ちＬ（ロー）になることにより、ＣＰＵやＡＳＩＣはオプションボードが実装されていると認識する方法がある。
【０００５】
他にソフト的に検知手段としては、オプションボードなどに実装されているＩＣに適当なデータを書き込んだ後、読み込んで期待値と一致していれば、実装されていると認識するなどの手段がある。
【０００６】
システムを制御し、オプションボードなどが実装されるプリント基板は、板金などの外装に囲まれている。カスタマーエンジニアやユーザーが機能拡張などのためにオプションボードを装着するときはネジを幾つか外し、プリント基板や外装の板金を取り出してから、オプションボードなどを装着しなければならない。
【０００７】
このとき、カスタマーエンジニアやユーザーが機能拡張のための複数ある必要なボードを付け忘れ、ネジを締め、板金とＰＷＢを取り付けてシステムを起動する場合は、システムが立ち上がりディテクト信号をチェックするまでは必要なオプションボードの未装着に気が付かない。板金などの外装によってはネジなどが非常に多いものが存在するため、未装着の場合、カスタマーエンジニアやユーザーは、一からネジを外し直さなければならず、無駄な時間が掛かってしまう。
【０００８】
機能拡張等のボードの検出手段としては、独自の回路を設けることにより、ボード等を検出できるような技術（例えば、特許文献１参照）や、システムの電源を投入した状態でも検出できるような技術（例えば、特許文献２参照）が紹介されている。いずれもシステムの制御部に対して検知信号（ディテクト信号）を送ることにより、ボード等の装着を知らせている。
【０００９】
【特許文献１】
特開平６−１３４１５８号公報
【特許文献２】
特開平５−２２６８６１号公報
【００１０】
【発明が解決しようとする課題】
ところが画像形成装置によっては、システムを立ち上げディテクト信号をチェックするまでに、より大きな時間が掛かるものがある。上記に紹介された技術ではいずれも本体の電源を入れて、システムを立ち上げねばならない。
【００１１】
このように従来の技術では、機能拡張用のオプションボードを検知するためには、まずシステムが起動しなければならないため、オプションボード等の未装着にカスタマーエンジニアやユーザーが直ぐに気付かず、さらに気付いた時は板金等のネジを締めてしまっているため、またネジを外しオプションボードを装着しなければならないという無駄な時間が掛かってしまっている。
【００１２】
本発明は、カスタマーエンジニアやユーザーに、機能拡張などの際に無駄な時間（システムの立ち上げ時間、オプションボード等を取り付け忘れた際の外装板金の取り外しに掛かる時間）を掛けさせず、さらにシステム全体に電源供給をせず、少ない電力で短時間に機能拡張用オプションボートの装着チェックができるオプションボード検出回路を提供することを目的とする。
【００１３】
【課題を解決するための手段】
上記目的を達成するために、請求項１記載の発明は、オプションボードのプリント基板への装着、未装着を検出するオプションボード検出回路において、システム供給電源と検出回路電源を切り換える切り換えスイッチと、切り換えスイッチが検出回路電源側に切り換わったとき点灯するようにオプションボードに１対１で対応したＬＥＤとを備えたオプションボード検出回路を最も主要な特徴とする。
【００１４】
請求項２記載の発明は、請求項１記載のオプションボード検出回路において、オプションボードとＬＥＤの間にロジック回路を設けたオプションボード検出回路を主要な特徴とする。
【００１５】
請求項３記載の発明は、請求項２記載のオプションボード検出回路において、ロジック回路を複数設け、かつ、ロジック回路を切り換えるロジック回路切り換えスイッチを設けたオプションボード検出回路を主要な特徴とする。
【００１６】
【発明の実施の形態】
以下、本発明の実施の形態に関して図を参照しつつ説明する。
図１は本発明の第１の実施の形態に係るオプションボード検出回路における切り換えスイッチオフ状態を示す図、図２は同じくオン状態を示す図である。
【００１７】
オプションボードのプリント基板への装着、未装着を検出する本発明のオプションボード検出回路は、システム供給電源Ｓ＿Ｖｃｃと検出回路電源Ｄ＿Ｖｃｃを切り換える切り換えスイッチ１と、切り換えスイッチ１が検出回路電源側に切り換わったとき点灯するようにオプションボード２（２−１、２−２）に１対１で対応したＬＥＤ３（３−１、３−２）とを備えている。図中のＶｃｃは元々の電源を示す。
【００１８】
尚、オプションボード２−１は装着した状態、オプションボード２−２は非装着の場合として示している。本実施形態は、オプションボード２−１、２−２のみの検出回路についてのみ図示しているが、実際はオプションボード２の数に応じてＤ＿Ｖｃｃ→ＬＥＤ３→オプションボード２→ＧＮＤという回路を増やすために切り換えスイッチ１の端子の数を増やすことは当然である。
【００１９】
図１では、ＶｃｃからＳ＿Ｖｃｃのみに電源が供給され（アクティブ）ているので一般的なシステムの立ち上がりと変わらずシステムが立ち上がる。
【００２０】
図２ではＳ＿Ｖｃｃに電源は供給されないためシステムは立ち上がらず、代わりにＶｃｃからＤ＿Ｖｃｃに電源が供給されるので検出回路が動作する。ＬＥＤ３−１及びＬＥＤ３−２はオプションボード２−１、２−２にそれぞれ対応している。
【００２１】
ここでＬＥＤ３−１について、電源がＤ＿Ｖｃｃに供給されると、Ｄ＿Ｖｃｃ→ＬＥＤ３１→オプションボード２−１→オプションボード２−１のＧＮＤ（Ｏ＿ＧＮＤ）→ＧＮＤとループができているのでＬＥＤ３−１に電流が流れＬＥＤ３−１が点灯する。逆にＬＥＤ３−２はオプションボード２−２が装着されていないため、ループができずＬＥＤ３−２は点灯しない。
【００２２】
このように検出回路に切り換えた時は、オプションボード２がプリント基板に装着されているかどうかをＬＥＤ３の点灯により即座に知ることができる。検出回路自体は図に示す通りＣＰＵやＡＳＩＣなど大規模なＩＣを介さない非常にシンプルな構成のため、ＣＰＵなどのように余計なイニシャライズの時間を必要とせず、即座にＬＥＤ３が点灯する。
【００２３】
図３はオプションボードとシステムボードの接続図である。図３から分かるように、検出回路に切り換えている時はオプションボード２の電源であるＯ＿Ｖｃｃや、システムの電源であるＳ＿Ｖｃｃに電源供給をしないため、オプションボード２上のＩＣや、システムボード４上のＣＰＵ等にも電源が供給されず、消費電力は基本的にＬＥＤ３のみのため、非常に少ない電力でオプションボード２の装着、未装着を検知できる。切り換えスイッチ１は図面上、２つに分けて示してあるが、実際は１つである。
【００２４】
図４はＬＥＤの認識のイメージ図である。ＬＥＤ３ごとに対応したシルクがＬＥＤ３の横に示されており、ＲＯＭ−ＤＩＭＭ＃１が装着されているのを検知した場合、ＬＥＤ３−１が点灯される。カスタマーエンジニアやユーザーは検出回路に切り換え、メインスイッチをオンにしたあと、ＬＥＤ３の点灯、不点灯により、オプションボード２の未装着を即座に理解することができる。例えばＲＯＭ−ＤＩＭＭ＃２と拡張ボードをセットアップしたい場合には、ＬＥＤ３−１、３−２が点灯していればＯＫと判断することができる。
【００２５】
図５は本発明の第２の実施の形態に係るオプションボード検出回路の構成図である。オプションボード２の数が膨大な場合、１対１でＬＥＤ３を用意していたのではプリント基板のスペース上に実装できない場合が考えられる。そこで図５に示す第２の実施形態では、ＬＥＤ３の前にロジック回路５を用意し、アクティブ信号がＡＮＤ回路に両方とも入った場合にのみＬＥＤ３を点灯するようにしている。この場合ＬＥＤ３は１つで済む。
【００２６】
ロジック回路５は、ＡＮＤにすれば全部のオプションボード２がアクティブの場合のみＬＥＤ３を点灯させることができ、またＡＮＤ、ＯＲ等の組み合わせにより、必要なオプションボード２が全てアクティブになったときのみＬＥＤ３を点灯させることもできる。ただし予め必要な組み合わせをプリント基板設計時に決めておく必要があり、ＬＥＤ３の横に表示するすシルクもそれに順ずる。
【００２７】
半田面はスペースがあるが部品面にスペースが無く、ＬＥＤ３を複数置けない場合に、半田面にロジック回路５を設けることにより、部品面にはＬＥＤ１個を塔載するだけですむといった点で本実施形態は有効である。
【００２８】
図６は本発明の第３の実施の形態に係るオプションボード検出回路の構成図である。第３の実施の形態は、図５に示す第２の実施の形態の変形例であり、ロジック回路５を複数設け（この例では５−１と５−２の２つ）、かつロジック回路切り換えスイッチ６によりロジック回路５を選択できるようにした。
【００２９】
こうすることでオプションボード２の装着の組み合わせの選択肢を増やすことができる。またロジック回路５とロジック回路切り換えスイッチ６を追加すれば好きなだけオプションボード２組み合わせの選択ができる。
【００３０】
尚、図示しないがシルクの表記はこれに伴い、設計時に例えばロジック回路５―１の場合はＲＯＭ−ＤＩＭＭ＃１＆、オプションボード２―１、ロジック回路５―２の場合はオプションボード２―２＆ｏｐｔｉｏｎＳＤ−ＲＡＭと言った具合に表示する。
【００３１】
【発明の効果】
以上説明したように、請求項１記載の発明によれば、システムの立ち上げを待たずにオプションボードの装着の確認が検出回路のみでできるため、装着のし忘れが減少し、装着し忘れた時の板金からプリント基板の取り外しまでの手間が極端に少なくなるため、カスタマーエンジニアやユーザーが無駄な手間を取ることが少なくなる。
【００３２】
請求項２記載の発明によれば、カスタマーエンジニアやユーザーがプリント基板を見たときに目視できる部品面上にスペースがなく、ＬＥＤを多く実装する余裕がない場合に、カスタマーエンジニアやユーザーが見たときにプリント基板の裏面になるためＬＥＤを実装しても意味のない半田面にロジックＩＣを実装することにより、ＬＥＤも１つですみ、少ないスペースでもＬＥＤを実装できる。
【００３３】
請求項３記載の発明によれば、ロジックＩＣを追加することにより検出したいオプションボード装着の組み合わせの幅を広げることができる。
【図面の簡単な説明】
【図１】本発明の第１の実施の形態に係るオプションボード検出回路における切り換えスイッチオフ状態を示す図である。
【図２】図２は同じくオン状態を示す図である。
【図３】オプションボードとシステムボードの接続図である。
【図４】ＬＥＤの認識のイメージ図である。
【図５】本発明の第２の実施の形態に係るオプションボード検出回路の構成図である。
【図６】本発明の第３の実施の形態に係るオプションボード検出回路の構成図である。
【符号の説明】
１  切り換えスイッチ
２  オプションボード
３  ＬＥＤ
【図１】
2004164247.tif 000003
【図２】
2004164247.tif 000004
【図３】
2004164247.tif 000005
【図４】
2004164247.tif 000006
【図５】
2004164247.tif 000007
【図６】
2004164247.tif 000008